(57)【要約】  磁気浮上列車の軌道用の分岐器であって、分岐器は、前部主軌道梁（１）及び後部切替軌道梁を含み、後部切替軌道梁は、中心固定軌道梁（２）及び中間移動軌道梁（３）を含み、前部主軌道梁（１）は、湾曲することで直路（７）とカーブ路（６）との間で変換することができ、中心固定軌道梁（２）は固定で動かない軌道梁であり、中間移動軌道梁（３）は、直路（７）とカーブ路（６）との間で平行移動可能である。該分岐器は、中間移動軌道梁（３）を設置することで、分岐器の強制変形長さ及び駆動質量を最大限に減少し、必要な軌道変更時間が短い。
2021518890.tif 000002
【特許請求の範囲】
【請求項１】
前部主軌道梁及び後部切替軌道梁を含み、前記後部切替軌道梁は、中心固定軌道梁及び中間移動軌道梁を含み、
前記前部主軌道梁は、直路とカーブ路との間で湾曲変換可能であり、前記中心固定軌道梁は固定で動かない軌道梁であり、前記中間移動軌道梁は、直路とカーブ路との間で平行移動可能であり、
磁気浮上列車はカーブ路に沿って分岐器を通過する前に、前記前部主軌道梁はカーブ路まで湾曲し、前記中間移動軌道梁はカーブ路まで平行移動し、
磁気浮上列車は直路に沿って分岐器を通過する前に、前記前部主軌道梁を直路まで復帰する必要があり、前記中間移動軌道梁は直路まで平行移動することを特徴とする磁気浮上列車の軌道用の分岐器。
【請求項２】
前部主軌道梁及び後部切替軌道梁を含み、前記後部切替軌道梁は、中心固定軌道梁及び中間移動軌道梁を含み、
前記前部主軌道梁は、直路とカーブ路との間で回転可能であり、前記中心固定軌道梁は固定で動かない軌道梁であり、前記中間移動軌道梁は、直路とカーブ路との間で平行移動可能であり、
磁気浮上列車はカーブ路に沿って通過する場合、前記前部主軌道梁は、回転軸周りにカーブ路まで回転し、前記中間移動軌道梁はカーブ路まで平行移動し、
磁気浮上列車は直路に沿って通過する場合、前記前部主軌道梁は、回転軸周りに直路まで回転し、前記中間移動軌道梁は直路まで平行移動することを特徴とする磁気浮上列車の軌道用の分岐器。
【請求項３】
前記中心固定軌道梁は、前記前部主軌道梁と前記カーブ路とを接続するための第１外側梁、及び前記前部主軌道梁と前記直路とを接続するための第２外側梁を含み、
前記第１外側梁及び前記第２外側梁はともに固定の軌道梁であることを特徴とする請求項１または２に記載の磁気浮上列車の軌道用の分岐器。
【請求項４】
前記中間移動軌道梁は、略Ｕ字型の軌道梁であることを特徴とする請求項１または２に記載の磁気浮上列車の軌道用の分岐器。
【請求項５】
前記中間移動軌道梁は、横梁、及び前記横梁の両端にそれぞれに設けられた第１内側梁と第２内側梁を含むことを特徴とする請求項１または２に記載の磁気浮上列車の軌道用の分岐器。
【請求項６】
前記中間移動軌道梁を前記中心固定軌道梁の第１外側梁と第２外側梁との間で移動可能させるように、前記横梁の底部にローラーが設けられたことを特徴とする請求項５に記載の磁気浮上列車の軌道用の分岐器。
【請求項７】
前記横梁の底部に設けられ、前記ローラーと嵌合する積載軌道をさらに含むことを特徴とする請求項５に記載の磁気浮上列車の軌道用の分岐器。
【請求項８】
前記前部主軌道梁はセメントまたは鋼桁であることを特徴とする請求項１または２に記載の磁気浮上列車の軌道用の分岐器。
【請求項９】
前記中心固定軌道梁は固定のセメントまたは鋼桁であることを特徴とする請求項１または２に記載の磁気浮上列車の軌道用の分岐器。
【請求項１０】
前記中間移動軌道梁はセメントまたは鋼桁であることを特徴とする請求項１または２に記載の磁気浮上列車の軌道用の分岐器。
【発明の詳細な説明】
【技術分野】
【０００１】
本出願は、
１）２０１９年０１月２３日にて中国特許局に提出され、出願番号が２０１９１００６３６２７．４であり、発明名称が「磁気浮上列車の軌道用の分岐器」である発明特許出願と、
２）２０１９年０１月２３日にて中国特許局に提出され、出願番号が２０１９２０１１３８７５．０であり、発明名称が「磁気浮上列車の軌道用の分岐器」である実用新案特許出願と、の特許出願の優先権を主張し、その全ての内容が援用されることで本出願に結合される。
【０００２】
本発明は磁気浮上列車という技術的分野に関わり、特に磁気浮上列車の軌道用の分岐器に関わる。
【背景技術】
【０００３】
磁気浮上列車は、摩擦抵抗がほとんどない特徴点で、人々の注目を受けている。磁気浮上列車は運転過程において、軌道両側の電磁石に頼って浮上の保持、進みの駆動、及びステアリングを行う必要があるので、車体が軌道の両側下方を包絡する必要がある。列車は軌道方向の変換が必要である場合、分岐器の作用は特に重要であると思われる。
【発明の概要】
【発明が解決しようとする課題】
【０００４】
現在、一般的な磁気浮上列車の軌道用の分岐器はいずれも強制弾性変形機械構造があり、駆動質量が大きくて軌道変更時間が長い。
【０００５】
従って、如何に分岐器の強制弾性長さを最大限に減少するかとのこと、及び駆動質量及び軌道変更時間を減少する分岐器は、当業者が現在、解決する必要がある重要な技術的課題である。
【課題を解決するための手段】
【０００６】
上記技術的課題を解決するために、本発明は、前部主軌道梁及び後部切替軌道梁を含み、前記後部切替軌道梁は、中心固定軌道梁及び中間移動軌道梁を含み、
前記前部主軌道梁は、直路とカーブ路との間で湾曲変換可能であり、前記中心固定軌道梁は固定で動かない軌道梁であり、前記中間移動軌道梁は、直路とカーブ路との間で平行移動可能であり、
磁気浮上列車はカーブ路に沿って分岐器を通過する前に、前記前部主軌道梁はカーブ路まで湾曲し、前記中間移動軌道梁はカーブ路まで平行移動し、
磁気浮上列車は直路に沿って分岐器を通過する前に、前記前部主軌道梁を直路まで復帰する必要があり、前記中間移動軌道梁は直路まで平行移動する磁気浮上列車の軌道用の分岐器を提供する。
【０００７】
本発明の他の方案は、前部主軌道梁及び後部切替軌道梁を含み、前記後部切替軌道梁は、中心固定軌道梁及び中間移動軌道梁を含み、
前記前部主軌道梁は、直路とカーブ路との間で回転可能であり、前記中心固定軌道梁は固定で動かない軌道梁であり、前記中間移動軌道梁は、直路とカーブ路との間で平行移動可能であり、
磁気浮上列車はカーブ路に沿って通過する場合、前記前部主軌道梁は、回転軸周りにカーブ路まで回転し、前記中間移動軌道梁はカーブ路まで平行移動し、
磁気浮上列車は直路に沿って通過する場合、前記前部主軌道梁は、回転軸周りに直路まで回転し、前記中間移動軌道梁は直路まで平行移動する磁気浮上列車の軌道用の分岐器を提供する。
【０００８】
または、前記中心固定軌道梁は、前記前部主軌道梁と前記カーブ路とを接続するための第１外側梁、及び前記前部主軌道梁と前記直路とを接続するための第２外側梁を含み、
前記第１外側梁及び前記第２外側梁はともに固定の軌道梁である。
【０００９】
または、前記中間移動軌道梁は、略Ｕ字型の軌道梁である。
【００１０】
または、前記中間移動軌道梁は、横梁、及び前記横梁の両端にそれぞれに設けられた第１内側梁と第２内側梁を含む。
【００１１】
または、前記中間移動軌道梁を前記中心固定軌道梁の第１外側梁と第２外側梁との間で移動可能させるように、前記横梁の底部にローラーが設けられた。
【００１２】
または、前記横梁の底部に設けられ、前記ローラーと嵌合する積載軌道をさらに含む。
【００１３】
または、前記前部主軌道梁はセメントまたは鋼桁である。
【００１４】
または、前記中心固定軌道梁は固定のセメントまたは鋼桁である。
【００１５】
または、前記中間移動軌道梁はセメントまたは鋼桁である。
【００１６】
上記背景技術に対して、本発明に提供される磁気浮上列車の軌道用の分岐器は、中間移動軌道梁を設置することで、強制変形長さを最大限に減少し、駆動質量が小さく、必要な軌道変更時間が短い、との有益効果を有する。
【００１７】
本発明の実施例または従来技術における技術案をより明瞭に説明するために、以下、実施例または従来技術への記載に使用する必要がある図面を簡単に紹介し、明らかなように、以下の記載における図面は、本発明のいくつかの実施例だけであり、当業者にとって、創造的な労働を費やしない場合、さらにこれらの図面に応じて他の図面を得ることができる。
【図面の簡単な説明】
【００１８】
【図１】本発明の具体的な実施形態に提供される磁気浮上列車の軌道用の分岐器が直路状態にある構造模式図である。
【図２】本発明の具体的な実施形態に提供される磁気浮上列車の軌道用の分岐器がカーブ路状態にある構造模式図である。
【図３】本発明の具体的な実施形態に提供される中心固定軌道梁の構造模式図である。
【図４】本発明の具体的な実施形態に提供される中間移動軌道梁の構造模式図である。
【図５】本発明の具体的な実施形態に提供される後部切替軌道梁の側面図（カーブ路位置にある）である。
【図６】本発明の具体的な実施形態に提供される後部切替軌道梁の側面図（カーブ路位置にあり、かつ磁気浮上列車が示される）である。
【図７】本発明の具体的な実施形態に提供される後部切替軌道梁の側面図（直路位置にあり、かつ磁気浮上列車が示される）である。
【発明を実施するための形態】
【００１９】
以下、本発明の実施例を詳しく記載し、前記実施例の例示が図面に示されており、全体を通して同様または類似の符号は、同様または類似の素子、或いは、同様または類似の機能を有する素子を示す。以下、図面を参照することで記載された実施例は例示的なものであり、本発明を解釈するためのことを意図しているが、本発明への制限と理解できない。
【００２０】
本発明の記載において、用語である「中心」、「縦方向」、「横方向」、「長さ」、「幅」、「厚さ」、「上」、「下」、「前」、「後」、「左」、「右」、「垂直」、「水平」、「頂」、「低」「内」、「外」、「時計回り」、「反時計回り」等が指示する方位または位置関係は、図面に示されることを基づく方位または位置関係であり、本発明の記載を便利にさせて記載を簡単化するためだけであり、指摘された装置または素子が必ず特定の方位を有して特定の方位で構造し操作するように指示、または暗示することではないと理解する必要があり、よって、本発明への制限と理解できない。
【００２１】
なお、用語である「第１」、「第２」は、記載目的のためだけであり、相対的な重要性を指示、または暗示する、或いは、指示された技術的特徴の数を非明示的に指し示すと理解できない。これにより、「第１」、「第２」ということが限定された特徴は、１つまたはより複数の該特徴を明示的に、または非明示的に含むことができる。本発明の記載において、「複数」の意味は、特に明確で具体的な限定がない限り、２つまたは２つ以上である。
【００２２】
本発明において、特に明確な規定および限定がない限り、用語である「装着」、「連結」、「接続」、「固定」等の用語は、広義に解されるべきであり、例えば、固定接続であっても良いし、係脱可能な接続であってもよく、或いは、一体的な接続であり、機械的接続であっても良いし、電気的な接続であってもよく、直接連結であっても良いし、媒介を介して間接的に連結してもよく、２つの素子内部の連通であってもよい。当業者にとって、具体的な状況に応じて上記用語の本発明における具体的な意味を理解できる。
【００２３】
本発明の核心は、分岐器の移動及び強制変形長さを最大限に減少可能であり、駆動質量が小さく、必要な軌道変更時間が短い、磁気浮上列車の軌道用の分岐器を提供することである。
【００２４】
当業者がよりよく本発明の方案を理解するために、以下は図面と具体的な実施形態を結合して、本発明を詳しく説明する。
【００２５】
図１〜図７を参照し、図１は本発明の具体的な実施形態に提供される磁気浮上列車の軌道用の分岐器が直路状態にある構造模式図であり、図２は本発明の具体的な実施形態に提供される磁気浮上列車の軌道用の分岐器がカーブ路状態にある構造模式図であり、図３は本発明の具体的な実施形態に提供される中心固定軌道梁の構造模式図であり、図４は本発明の具体的な実施形態に提供される中間移動軌道梁の構造模式図であり、図５は本発明の具体的な実施形態に提供される後部切替軌道梁の側面図（カーブ路６位置にある）であり、図６は本発明の具体的な実施形態に提供される後部切替軌道梁の側面図（カーブ路６位置にあり、かつ磁気浮上列車５が示される）であり、図７は本発明の具体的な実施形態に提供される後部切替軌道梁の側面図（直路７位置にあり、かつ磁気浮上列車５が示される）である。
【００２６】
具体的な実施形態において、本発明に提供される磁気浮上列車の軌道用の分岐器について、図１、図２、図３及び図４に示すように、前記分岐器は、前部主軌道梁１及び後部切替軌道梁を含み、前記後部切替軌道梁は、中心固定軌道梁２及び中間移動軌道梁３を含み、前記前部主軌道梁１は、直路７とカーブ路６との間で回転または湾曲変換可能であり、前記中心固定軌道梁２は固定で動かない軌道梁であり、前記中間移動軌道梁３は、直路７とカーブ路６との間で平行移動可能である。
【００２７】
具体的な実施形態において、本発明に提供される磁気浮上列車の軌道用の分岐器について、図５、図６及び図７に示すように、前記中心固定軌道梁２は、前記前部主軌道梁１と前記カーブ路６とを接続するための第１外側梁２１、及び前記前部主軌道梁１と前記直路７とを接続するための第２外側梁２２を含み、前記第１外側梁２１及び前記第２外側梁２２はともに固定の軌道梁である。
【００２８】
具体的な実施形態において、本発明に提供される磁気浮上列車の軌道用の分岐器について、前記中間移動軌道梁３は、略Ｕ字型の軌道梁である。前記中間移動軌道梁３は、横梁３３、及び前記横梁の両端にそれぞれに設けられた第１内側梁３１と第２内側梁３２を含む。前記中間移動軌道梁３を前記中心固定軌道梁２の第１外側梁２１と第２外側梁２２との間で移動可能させるように、前記横梁３３の底部にローラー３４が設けられた。
【００２９】
具体的な実施形態において、本発明に提供される磁気浮上列車の軌道用の分岐器について、図６に示すように、前記中間移動軌道梁３が前記第１外側梁２１に近い位置まで移動した場合、前記第１外側梁２１と前記第１内側梁３１とは、前記磁気浮上列車５が前記カーブ路６を通過する移行梁として組み合わせ、図７に示すように、前記中間移動軌道梁３が前記第２外側梁２２に近い位置まで移動した場合、前記第２外側梁２２と前記第２内側梁３２とは、前記磁気浮上列車５が前記直路７を通過する移行梁として組み合わせる。
【００３０】
具体的な実施形態において、本発明に提供される磁気浮上列車の軌道用の分岐器について、前記横梁３３の底部に設けられ、前記ローラー３４と嵌合する積載軌道４をさらに含む。前記ローラー３４は前記積載軌道４を移動することにより、前記中間移動軌道梁３の前記カーブ路６と前記直路７との間での切替を実現する。
【００３１】
具体的な実施形態において、本発明に提供される磁気浮上列車の軌道用の分岐器について、前記前部主軌道梁１及び前記中間移動軌道梁３はともにセメントまたは鋼桁であり、前記中心固定軌道梁２は固定のセメントまたは鋼桁である。
【００３２】
具体的な実施形態において、本発明に提供される磁気浮上列車の軌道用の分岐器について、図５及び図６に示すように、磁気浮上列車５がカーブ路６に沿って通過する場合、前記前部主軌道梁１は、回転軸周りにカーブ路６まで回転または湾曲し、前記中間移動軌道梁３は、前記第１外側梁２１に近い位置まで平行移動する。図７に示すように、磁気浮上列車５が直路７に沿って通過する場合、前記前部主軌道梁１は、回転軸周りに直路７まで回転または湾曲し、前記中間移動軌道梁３は、前記第２外側梁２２に近い位置まで平行移動する。該分岐器は、分岐器の強制弾性長さを最大限に減少し、駆動質量及び軌道変更時間を減少する。
【００３３】
以上は本発明により提供される磁気浮上列車の軌道用の分岐器を詳しく紹介した。本明細書において、具体的な例によって本発明の原理及び実施形態を説明して、以上の実施例に対する説明は、ただ本発明の方法及びその核心思想への理解に寄与する。指摘すべきのは、当業者にとって、本発明の原理から逸脱しない上に、本発明に対して若干の改良と修飾を行ってもよく、これら改良と修飾はいずれも本発明の請求項の保護範囲に該当している。
【符号の説明】
【００３４】
１  ・・・前部主軌道梁；
２  ・・・中心固定軌道梁；
２１  ・・・第１外側梁；
２２  ・・・第２外側梁；
３  ・・・中間移動軌道梁；
３１  ・・・第１内側梁；
３２  ・・・第２内側梁；
３３  ・・・横梁；
３４  ・・・ローラー；
４  ・・・積載軌道；
５  ・・・磁気浮上列車；
６  ・・・カーブ路；
７  ・・・直路。
【図１】
2021518890.tif 000003
【図２】
2021518890.tif 000004
【図３】
2021518890.tif 000005
【図４】
2021518890.tif 000006
【図５】
2021518890.tif 000007
【図６】
2021518890.tif 000008
【図７】
2021518890.tif 000009
【国際調査報告】
2021518890.tif 000010
2021518890.tif 000011
2021518890.tif 000012
2021518890.tif 000013